(57)【特許請求の範囲】
【請求項１】
非接触式情報記録媒体処理機に近接させることにより、前記非接触式情報記録媒体処理機からの信号を受信する非接触式情報記録媒体を収納する非接触式情報記録媒体収納容器であって、
発光素子及び/又は発音素子と、
前記非接触式情報記録媒体処理機からの信号を受信する信号受信部と、
前記信号受信部において信号を受信する回数をカウントする回数計測部と、
前記回数計測部によって計測された前記回数が増加するにつれて前記発光素子の発光状態及び/又は前記発音素子の発音状態を段階的に変化せしめる素子駆動手段と、
前記素子駆動手段の駆動をオン・オフするスイッチと、を備え、
前記スイッチは、前記非接触式情報記録媒体収納容器の側壁面に設けられる非接触式情報記録媒体収納容器。
【請求項２】
請求項１において、
前記素子駆動手段は、前記回数計測部によって計測された前記回数が増加するにつれて意味を有する言葉を段階的に選択し発音せしめる非接触式情報記録媒体収納容器。
【請求項３】
請求項１または２において、
前記素子駆動手段は、前記回数計測部によって計測された前記回数が増加するにつれて前記発音素子を前記発光素子の発光状態に同期させて発音せしめる非接触式情報記録媒体収納容器。
【請求項４】
請求項１乃至３のいずれか一項において、
非接触式情報記録媒体収納容器の内部には、複数の羽を備えて構成される羽パーツと、前記羽パーツを回転させるためのモータと、前記発光素子と、を備え、
前記羽パーツは、前記発光素子の上面に配置され、
前記羽パーツの回転により前記発光素子からの変化した光が目視される非接触式情報記録媒体収納容器。
【請求項５】
請求項４において、
前記発光素子からの変化した光は、非接触式情報記録媒体収納容器の表面に形成された窓から目視される非接触式情報記録媒体収納容器。
【請求項６】
請求項４または５において、
前記羽パーツは、前記発光素子の発光状態に関連づけて回転される非接触式情報記録媒体収納容器。
【請求項７】
請求項１乃至５のいずれか一項において、
非接触式情報記録媒体収納容器は、ベルトに取り付けられるホルダーに着脱自在に装着できる非接触式情報記録媒体収納容器。
【発明の詳細な説明】
【技術分野】
【０００１】
本発明は、非接触式情報記録媒体収納容器に関する。
【背景技術】
【０００２】
たとえば無線通信機能を備えた非接触型ＩＣカードからなる定期券のような電子マネーカードは、自動改札機本体（非接触情報記録媒体処理機）との間において非接触でデータ授受を行って入出場を行うことができるようになっている。この場合、データ授受は、電子マネーカードを自動改札機本体のアンテナにかざすこと（タッチ）によって、該アンテナを介してなされるようになっている。
【０００３】
また、このような電子マネーカードをケースに収納し、ケースごと電子マネーカードを使用するようにし、たとえば電子マネーカードが自動改札機のアンテナの通信エリアの範囲内にかざされた際に、ケースに形成された検知素子を駆動させ、電子マネーカードの使用者にその旨を知らしめる技術が知られるに至っている。これにより、たとえば視角障害者は自動改札機との間でデータ授受が正常に行われることを認識できるようになっている（特許文献１参照）。
【先行技術文献】
【特許文献】
【０００４】
【特許文献１】特開２００１−１０９８７５号公報
【発明の概要】
【発明が解決しようとする課題】
【０００５】
しかし、このような電子マネーカードケースは、単に改札機にかざされたか否かを使用者に報知するだけであり、単調で面白みに欠けるものであった。そこで、本発明では、より興趣性の増した非接触型記憶媒体収納容器を提供することを目的とする。
【課題を解決するための手段】
【０００６】
本発明の非接触式情報記録媒体収納容器は、非接触式情報記録媒体処理機に近接させることにより、非接触式情報記録媒体処理機からの信号を受信する非接触式情報記録媒体を収納する非接触式情報記録媒体収納容器であって、発光素子及び／又は発音素子と、非接触式情報記録媒体処理機からの信号を受信する信号受信部と、信号受信部における前記信号の受信時間を計測する時間計測部と、時間計測部によって非接触式情報記録媒体収納容器は、計測された受信時間に対応させて発光素子の発光状態及び／又は発音素子の発音状態を変化せしめる素子駆動部と、を備える。また、本発明の非接触式情報記録媒体収納容器は、非接触式情報記録媒体処理機に近接させることにより、前記非接触式情報記録媒体処理機からの信号を受信する非接触式情報記録媒体を収納する非接触式情報記録媒体収納容器であって、発光素子及び/又は発音素子と、前記非接触式情報記録媒体処理機からの信号を受信する信号受信部と、前記信号受信部において信号を受信する回数をカウントする回数計測部と、前記回数計測部によって計測された前記回数が増加するにつれて前記発光素子の発光状態及び/又は前記発音素子の発音状態を段階的に変化せしめる素子駆動手段と、前記素子駆動手段の駆動をオン・オフするスイッチと、を備え、前記スイッチは、前記非接触式情報記録媒体収納容器の側壁面に設けられる。
【発明の効果】
【００１０】
本発明によって、より興趣性の増した非接触型記憶媒体収納容器を提供することができる。
【図面の簡単な説明】
【００１１】
【図１】本発明の電子マネーカードケースの一実施形態を示す分解斜視図である。
【図２】図１に示す電子マネーカードケースの平面図である。
【図３】本発明の電子マネーカードケースに組み込まれる電子回路の一例を示す概略図である。
【図４】本発明の電子マネーカードケースの所持態様の例を示した説明図である。
【図５】（ａ）、（ｂ）は、それぞれ、本発明電子マネーカードケースの他の実施形態を示す平面図である。
【図６】（ａ）、（ｂ）は、本発明電子マネーカードケースの他の実施形態を示す平面図である。
【発明を実施するための形態】
【００１２】
以下、本発明に係る非接触型記憶媒体収納容器の実施の形態について説明する。なお、以下の実施の形態において、非接触型記憶媒体として、非接触式の定期券型電子マネーカードを用いて説明するが、必ずしもこれに限定されるものではない。非接触型記憶媒体として、例えば、交通機関の乗車券やプリペイドカード、電子マネーカード、身分証等に用いられる各種の非接触型ＩＣカードを用いることができる。また、以下の実施の形態において、非接触情報記録媒体処理機として、自動改札機を用いて説明するが、これに限られるものではない。非接触情報記録媒体処理機として、例えば、自動販売機、レジカウンター、個人認識装置等の各種の非接触型記憶媒体を処理するための装置を用いることができる。
【００１３】
（実施の形態１）
図１は、電子マネーカードケースの一実施形態を示す分解斜視図である。ここで、電子マネーカードケース１は、電子マネーカードを収納させた状態で、たとえば、図４（ａ）に示すように、ベルト５０に装着させて身につけるようにできるようになっている。ベルト５０には、図４（ｂ）に示すように、ホルダー５１が取り付けられるようになっており、このホルダー５０に電子マネーカードケース１が着脱自在に装着できるようになっている。また、電子マネーカードケース１は、たとえば、図４（ｃ）に示すように、バック５２の肩ベルト５３にも装着させて用いることもできるようになっている。電子マネーカードケース１をこのように所持できるようにすることによって、電子マネーカードケース１が体積的に大きくなっていても不都合を生じないようにすることができる。
【００１４】
そして、後の説明でも明らかになるように、電子マネーカードは電子マネーカードケース１の裏面側に収納できるようになっている。また、電子マネーカードケース１の表面側にはたとえば円形状の窓（図１にて符号３４で示す）を備え、この窓を通して電子マネーカードケース１の内部に配置させた複数の発光ダイオード（図１にて符号２７で示す）の発光、あるいは回転する羽パーツ（図１にて符号２３で示す）を通した前記発光ダイオードの発光を目視できるようになっている。
【００１５】
図１に戻り、電子マネーカードケース１は、その裏面側から、カードホルダー１０、下部本体２０、上部本体３０が順次積層されて組み立てられることによって、電子マネーカードケース１の筐体部を構成するようになっている。これら、カードホルダー１０、下部本体２０、上部本体３０は、たとえば樹脂等の成形によって形成されている。なお、電子マネーカードケース１は、平面的に観て矩形状に形成され、その大きさはたとえば62mm×93mmとなっている。この大きさは電子マネーカードの大きさに対応させたもので、該電子マネーカードよりも若干大きめとなっている。
【００１６】
まず、下部本体２０は、矩形状の箱体からなり、その開口側は上部本体３０に対向するように配置されている。下部本体２０には、電子回路基板２１、中パーツ２２、羽パーツ２３等が配置されるようになっている。また、下部本体２０には電池ボックス２５が形成されており、この電池ボックス２５には、下部本体２０の裏面に開閉自在に設けられた電池蓋２６を通してたとえばボタン電池をセットできるようになっている。このボタン電池は、電子回路基板２１および羽パーツ２３を回転させるための動力源となっている。
【００１７】
下部本体２０の裏面には、平面的に観て下部本体２０とほぼ同形をなすカードホルダー１０が配置されている。このカードホルダー１０は、その一辺側に設けられた一対のヒンジ１１Ａ、１１Ｂを介して下部本体２０に取り付けられ、これら一対のヒンジ１１Ａ、１１Ｂを中心として図中点線αの回りに揺動（矢印Ａ方向に）できるようになっている。これにより、カードホルダー１０は下部本体２０に対して開閉ができ、電子マネーカード（図示せず）を下部本体２０とカードホルダー１０との間に挟持することによって、電子マネーカードケース１に収納することができるようになっている。カードホルダー１０はたとえば透光性のある樹脂材によって形成され、電子マネーカードは、電子マネーカードケース１の裏面からカードホルダー１０を通して目視できるようになっている。また、電子マネーカードケース１の裏面、すなわちカードホルダー１０が形成された面は、たとえば自動改札機等の非接触情報記録媒体処理機（非接触情報記録媒体を処理する処理機）に近接（タッチ）される面となっている。なお、カードホルダー１０には、図示していないが、電子マネーカードを収納した後は下部本体２０との係止ができる係止部が備えられている。
【００１８】
下部本体２０に配置される電子回路基板２１には、たとえば円形を形成するようにして複数の発光ダイオード２７が搭載されている。これら各発光ダイオード２７は、たとえば、発光色の異なる発光ダイオードが用いられ、色ごとに繰り返されて並設されている。これら発光ダイオードは、平面的に観て下部本体２０のほぼ中央に位置づけられるようにして電子回路基板２１に搭載されている。
【００１９】
なお、図中では、これら発光ダイオード２７は、一つの円形の輪郭に沿って並設させたものとなっているが、たとえば同心的に配置された複数の各円形のそれぞれの輪郭に沿って並設させるようにしてもよい。このようにした場合、発光ダイオード２７の配列パターンを複雑にでき、発光ダイオード２７の発光状態の変化を多様化させることができるようになる。
【００２０】
また、これら発光ダイオード２７の周辺における電子回路基板２１上には、たとえば、半導体装置２８Ａ、２８Ｂが設けられている。本実施の形態において、半導体装置２８Ａは、電子マネーカードケースが自動改札機のアンテナの通信エリアの範囲に入ったことを検知する回路部であり、自動改札機との間で信号の送受信等が行われたかどうかを判別する。また、半導体装置２８Ｂは、自動改札機からの信号の送受信の状態、本実施の形態では、電子マネーカードケースを自動改札機に近接させた際に、電子マネーカードケースが自動改札機のアンテナの通信エリアの範囲に入ってから通信範囲を出るまでの時間を検出し、この時間に対応させて各発光ダイオード２７を駆動させて該発光ダイオード２７の発光状態を変化（制御）する回路部である。
【００２１】
また、電子回路基板２１の上面には、各発光ダイオード２７の形成領域を充分に被うようにして中パーツ２２が配置され、この中パーツ２２の上面には羽パーツ２３が配置されている。羽パーツ２３は、その中心が円形に配置された複数の発光ダイオードの中心にほぼ一致づけられて配置され、径方向に放射状に延在する複数の羽２３Ａを備えて構成されている。中パーツ２２および羽パーツ２３はたとえば合成樹脂で構成されている。中パーツ２２は、たとえば各発光ダイオード２７からの光を羽パーツ２３の側に導くように形成されているとともに、前記羽パーツ２３を回転させるためのモータ（図示せず）を搭載するようになっている。ここで、羽パーツ２３は、中パーツ２２を通して出射される発光ダイオード２７からの光を透過できるように構成され、たとえば、領域によって光の屈折率あるいは光の透過量を異ならしめるように構成されている。回転する羽パーツを透過する各発光ダイオード２７からの光にダイナミックな変化を与えるためである。
【００２２】
電子回路基板２１には、前記電池ボックス２５内のたとえばボタン電池から電源が供給されるようになっており、この電源によって、前記半導体装置２８Ａ、２８Ｂ、発光ダイオード２７、および前記モータの駆動がなされるようになっている。また、電子回路基板２１には、電子回路の駆動をオン・オフするたとえばスライドスイッチからなるスイッチ２９が設けられ、このスイッチ２９は、下部本体２０の側壁面に設けた切り欠き２０Ａから露出させるようにして配置され、電子マネーカードケース１の外側から該スイッチ２９の操作ができるようになっている。なお、本実施の形態では、カードケース本体に設けられた電池から電子回路等を駆動するための電源が供給されているが、必ずしもこれに限定されるものではない。例えば、カードケース本体に電池を搭載せず、自動改札機からの電波を受けて生じた起電力により電子回路等を駆動するようにしてもよい。
【００２３】
上部本体３０は、下部本体２０と平面的に観てほぼ同形をなし、下部本体２０に対して固定されるようになっている。上部本体３０と下部本体２０の固定は、たとえば、下部本体の２０の四隅において裏面から螺入される螺子３０Ａによってなされるようになっている。これにより、前記電子回路基板２１、中パーツ２２、羽パーツ２３等は下部本体２０と上部本体３０の間に収納されるようになっている。上部本体３０の周辺を除く中央部は上面側に凸となる盛り上がり部３１を有して形成され、さらに、この盛り上がり部３１の中央には開口３２が形成されている。この開口３２は、その中心が電子回路基板２１に円形に配列されて搭載された複数の発光ダイオード２７の中心（あるいは羽パーツ２３の中心）にほぼ一致するよう形成されている。この開口３２は、上部本体３０の裏側から凸状のたとえば樹脂性の透明なクリアパーツ３３が係合されて、発光ダイオード２７、羽パーツ２３を目視できる窓３４を構成するようになっている。
【００２４】
図２は、電子マネーカードケース１の平面図を示し、上部本体３０の表面の盛り上がり部３１の中央に形成された窓３４からは、発光ダイオード２７からの光が導かれる中パーツ２２とこの中パーツ２２の上面に配置された羽パーツ２３が目視されるようになっている。
【００２５】
図３は、電子回路基板２１に搭載される電子回路の一例を示した概略図である。図２において、電子回路は、たとえば半導体装置２８Ａおよび半導体装置２８Ｂを備えている。半導体装置２８Ａは、自動改札機（非接触記録媒体処理機）の本体との間で信号を送受信するための受信部４０を備える半導体装置からなっている。なお、本実施の形態では、電子マネーカードケース側には、自動改札機本体からの信号を受信する受信回路のみを設けた受信部４０が搭載されているが、必ずしもこれに限定されることはなく、例えば、電子マネーケース側から自動改札機本体に信号を送信する送信回路を設けてもよい。
【００２６】
本実施の形態において、半導体装置２８Ａ、２８Ｂにおいて、電子マネーカードケースと自動改札機（非接触式情報記録媒体処理機）との信号の送受信における信号の受信時間を計測し、信号の受信時間に基づいて複数の発光ダイオード２７の発光状態を制御することができる。
【００２７】
たとえば、電子マネーカードケースに設けられた受信部４０において、自動改札機からの信号の受信開始から受信終了までの受信時間が任意の受信時間より長い場合、半導体装置２８Ｂによって、たとえば、全ての発光ダイオードを点灯あるいは点滅させるように駆動させるようになっている。一方、自動改札機から信号を受信する受信時間が任意の受信時間より短い場合、たとえば、全ての発光ダイオード２７のうちの幾つかの発光ダイオード２７のみを点灯あるいは点滅させるように駆動させるようになっている。つまり、電子マネーカードケースを自動改札機に対してタッチする時間の長短によって、電子マネーカードケースに設けられた発光ダイオードの点灯、点滅状態が変化するようになっている。
【００２８】
なお、自動改札機からの信号の受信時間を段階的に区分けしておき、受信時間の区分に応じて、点灯あるいは点滅させる発光ダイオード２７の数を増減させるようにしてもよい。また、発光ダイオード２７の発光個数ではなく、発光ダイオード２７の点灯のデューティを変化させるようにしてもよい。また、発光ダイオードに加え、スピーカ等の発音素子を備えるようにし、発音素子を発光ダイオード２７の発光状態に対応（あるいは同期）させて、たとえば発音の大きさや発音内容を変化させるようにしてもよい。この場合、目視で発光ダイオード２７の発光状態の変化を感知できるともに、聴覚によって該変化を増強させることができるようになる。なお、必ずしも発光ダイオードと発音素子とを対応（同期）させる必要はないし、発光ダイオード２７を設けることなく、発音素子のみを設け、信号の受信時間に応じて発音素子からの発音の大きさや発音内容を変化させるようにしてもよいことはもちろんである。
【００２９】
また、図３において、その図中左側において、羽パーツ２３を回転させる回路を示している。この羽パーツ２３は任意の際にスイッチ４１をオンすることによって回転できるようになっている。上述したように、羽パーツ２３をその領域によってたとえば光の屈折率あるいは光の透過量を異ならしめるように構成することによって、羽パーツ２３を介して利用者の目に照射される各発光ダイオード２７からの光は変化に富み、興味あるものとすることができる。しかし、この羽パーツ２３は、発光ダイオード２７の発光状態に関連づけて自動的に回転させるようにしてもよいことはいうまでもない。この場合において、発光ダイオード２７の発光状態と羽パーツ２３の発光状態との場合分けに応じた変化を多数設定することができ、電子マネーカードの利用者に多大な興味を惹き起こすことができるようになる。
【００３０】
このように構成した電子マネーカードケース１は、たとえば自動改札機（非接触記録媒体処理機）にタッチした際に、そのタッチの状況によって発光ダイオードの発光状態（発光パターン）を変化させることができるようになる。このため、電子マネーカードの利用者に毎日の通勤や買い物を楽しくさせることができ、興を惹き起こす効果を奏することができるようになる。なお、本実施の形態の電子マネーカードケースは、他の実施の形態と適宜組み合わせることが可能である。他の実施の形態と組み合わせることにより、より興趣性の高いカードケースを提供することができる。
【００３１】
（実施の形態２）
図５（ａ）および図５（ｂ）は、それぞれ、本発明の電子マネーカードケース１の他の実施形態を示す平面図である。図５（ａ）は、電子マネーカードケース１の上部本体３０を示し、該上部本体３０を上面から観た図となっている。図５（ａ）に示す上部本体３０の表面は、たとえば平坦になっており、その面には、キャラクタ６０が描画され、そのキャラクタ６０の胸部に相当する個所に比較的大きなエリアで発光ダイオード７３が配置されている。なお、図５（ａ）に示す電子マネーカードケース１の裏面は、たとえば、図１に示したと同様に、カードホルダー１０が取り付けられており、このカードホルダー１０と下部本体２０との間に電子マネーカードを収納できるようになっている。
【００３２】
電子マネーカードケース１の下部本体２０と上部本体３０には電子回路が内包されている。この電子回路は、たとえば、電子マネーカードケースが自動改札機のアンテナの通信エリアの範囲に入ったことを検知できる第１回路（半導体装置）、電子マネーカードと自動改札機との間でデータ授受していることを検知できる第２回路（半導体装置）、第１回路による検知の後、第２回路による検知が無かった場合に、発光ダイオード２７を比較的大きなデューティで点滅させる第３回路（半導体装置）から構成されている。なお、この際に、スピーカ等の発音素子を備えるようにし、この発音素子を発光ダイオード２７の発光状態に対応（同期）させて、たとえば「ピーピー」と発音させるようにしてもよいことはもちろんである。
【００３３】
また、図５（ｂ）は、図５（ａ）とほぼ同様の構成からなる電子マネーカードケース１であり、上部本体３０の上面に描かれた人気キャラクタ６１の胸部に札６３が貼付されており、この札６３には数桁からなる番号が表示されている。各番号は、いわゆる「日の字」の各セグメントを構成する発光ダイオードによって構成され、電子回路を用いて任意の数字を表示できるようになっている。電子マネーカードケース１の下部本体２０と上部本体３０には電子回路が内包されている。この電子回路は、たとえば、電子マネーカードケースが自動改札機のアンテナの通信エリアの範囲に入ったことを検知できる第１回路（半導体装置）、電子マネーカードと自動改札機との間でデータ授受していることを検知できる第２回路（半導体回路）、第１回路による検知の時点から札に表示されたカウント値をカウントダウンし該カウント値が「０」になった際に、いまだ第２回路からの検知がない場合を検出する第３回路（半導体装置）と、この第３回路の検出によって、人気キャラクタ６１がたとえば死んでしまう際の叫び声を出力する発音素子を駆動する第４回路（半導体装置）が備えられている。
【００３４】
このように構成された電子マネーカードケース１は、たとえば、電子マネーカードが自動改札機のアンテナの通信エリアの範囲に入ったことの検知から、札に表記されたカウント値がカウントダウンされ該カウント値が「０」になっても電子マネーカードと自動改札機との間でデータ授受（タッチ）されていない場合に、キャラクタ６１の死んでしまう際の叫び声が発音素子から発せられるようになっている。なお、本実施の形態の電子マネーカードケースは、他の実施の形態と適宜組み合わせることが可能である。他の実施の形態と組み合わせることにより、より興趣性の高いカードケースを提供することができる。
【００３５】
（実施の形態３）
図６（ａ）、（ｂ）は、それぞれ、本発明の電子マネーカードケースの他の実施形態を示す平面図である。図６（ａ）は、野球ゲームができる電子マネーカードケース１を示し、図６（ｂ）は、ゴルフゲームができる電子マネーカードケースを示している。
【００３６】
図６（ａ）は、図１に示した電子マネーカードケース１の上部本体３０を示し、該上部本体３０を上面から観た図となっている。図６（ａ）に示す上部本体３０の表面は、たとえば平坦になっており、その面には、野球場７０が描画され、そのダイヤモンド内には、ヒット（ＨＩＴ）、アウト（ＯＵＴ）、ツーベースヒット（２Ｈ）、スリーベースヒット（３Ｈ）、ホームラン（ＨＯＭＥＲＵＮ）等の表記とともに、それぞれ、近接して発光ダイオード２７が配置されている。また、上部本体３０の図中右下にはたとえばボタンスイッチからなるスイッチ７１が備えられている。
【００３７】
この場合においても、図６（ａ）に示す電子マネーカードケース１の裏面は、たとえば、図１に示したと同様に、カードホルダー１０が取り付けられており、このカードホルダー１０と下部本体２０との間に電子マネーカードを収納できるようになっている。
【００３８】
電子マネーカードケース１の下部本体２０と上部本体３０には電子回路が内包されている。この電子回路は、たとえば、スイッチ７１がオンされたことを検知する第１回路（半導体装置）、電子マネーカードと自動改札機との間で信号を送受信が行われたことを検知する第２回路（半導体回路）、スイッチがオンされてから第２回路による検知までの時間を計測する第３回路（半導体装置）、スイッチがオンされてから信号の送受信が行われるまでの計測時間に応じて発光ダイオード２７の点灯あるいは点滅を制御する第４回路（半導体回路）が備えられている。なお、該計測時間と発光ダイオードの点灯、点滅制御状態との対応は、一意的に決められていてもよいし、スイッチ７１を押すたびにたとえばランダム回路によって新たに設定するようにしてもよい。
【００３９】
このように構成された電子マネーカードケース１は、自動改札機にたとえば入場しようとする際に、スイッチ７１を押しておくことによって、電子マネーカードと自動改札機との間で信号の送受信（タッチ）が行われた場合、このタッチに要するまでの時間に応じて、たとえば、ヒットとなる発光ダイオード２７が点灯あるいは点滅し、また、アウトとなる発光ダイオード２７が点灯あるいは点滅するようになる。
【００４０】
図６（ｂ）は、図６（ａ）とほぼ同様の構成からなり、野球ゲームに代えて、ゴルフゲームに適用させたものとなっている。上部本体３０に発光ダイオード２７をたとえば「ホールインワン」、あるいは「バーディ」等に対応づけて配設させ、自動改札機にたとえば入場しようとする際に、スイッチ７１を押しておくことによって、電子マネーカードと自動改札機との間で信号の送受信（タッチ）が行われた場合、このタッチに要するまでの時間に応じて、たとえば、ホールインワンとなる発光ダイオード２７が点灯あるいは点滅し、また、バーディとなる発光ダイオード２７が点灯あるいは点滅するようになっている。
【００４１】
なお、本実施の形態において、スイッチをオンしてから、自動改札機からの信号の受信開始までの時間に応じて発光ダイオードの発光状態等を変化させる仕様としたが、これに限られるものではない。例えば、スイッチをオンしてから、自動改札機からの信号の受信終了までの時間に応じて発光ダイオードの発光状態等を変化させてもよい。また、本実施の形態の電子マネーカードケースは、他の実施の形態と適宜組み合わせることが可能である。他の実施の形態と組み合わせることにより、より興趣性の高いカードケースを提供することができる。
【００４２】
（実施の形態４）
上述した実施形態では、電子マネーカードケース１に取り付けられた発光素子あるいは発音素子を、自動改札機からの信号の受信時間に対応させて発光素子の発光状態あるいは発音素子の発音状態を変化させていたが、電子マネーカードケース１に、振り子センサを取り付け、この振り子センサの出力に対応させて発光素子の発光状態あるいは発音素子の発音状態を変化させるようにしてもよい。
【００４３】
電子マネーカードケース１に振り子センサを取り付けた場合、電子マネーカードが自動改札機等の非接触式情報記録媒体処理機とのデータ授受がなされる際において、該電子マネーカードの傾斜状態を検出することができるようになる。このため、振り子センサの出力、すなわち電子マネーカードの傾斜状態に対応させて発光素子の発光状態あるいは発音素子の発音状態を変化させることによって、電子マネーカードの利用者に注意を喚起させる効果とともに、発光素子の発光状態あるいは発音素子の発音状態の変化を認識することによって遊びに対する興味を向上させることができるようになる。
【００４４】
すなわち、この実施形態の電子マネーカードケース１は、たとえば、電子マネーカードケース１の傾斜状態を検出する振り子センサと、発光素子及び／又は発音素子と、前記電子マネーカードが前記非接触式情報記録媒体処理機とのデータ授受がなされる際に、前記振り子センサの出力に対応させて前記発光素子の発光状態及び／又は前記発音素子の発音状態を変化せしめる素子駆動手段とを備えている。この場合、電子マネーカードケース１の上部本体３０の表面に、描画されたキャラクタと所定のパターンで配列された複数の発光ダイオードを備え、振り子センサの出力に対応させて複数の発光ダイオードによるパターンを変化させることによって、さらに興味が増大できる構成とすることができる。
【００４５】
なお、本実施の形態における電子マネーカードケースは、上記実施の形態と適宜組み合わせることが可能である。例えば、振り子センサに加えて、自動改札機等からの信号の受信時間を計測する時間計測部を備えていてもよい。これにより、信号の受信時間と振り子センサにより計測された傾斜状態との組合せによって、電子マネーカードに設けられた発光素子や発音素子の状態を変化させることができ、より興趣性の高い電子マネーカードを提供することができる。
【００４６】
（実施の形態５）
また、電子マネーカードケース１に取り付けられた発光素子の発光状態あるいは発音素子の発音状態の変化を、電子マネーカードが前記非接触式情報記録媒体処理機とのデータ授受を行った回数に対応させるよう行うようにしてもよい。このようにした場合、電子マネーカードの利用の度毎に発光素子の発光状態あるいは発音素子の発音状態が変化し、電子マネーカードの利用者はこれを認識することにより興味が増大できるようになる。
【００４７】
すなわち、この実施形態の電子マネーカードケースは、たとえば、発光素子及び／又は発音素子と、前記電子マネーカードが前記非接触式情報記録媒体処理機とのデータ授受を行った回数をカウントする回数計測手段と、この回数計測手段によって計測された前記回数に対応させて前記発光素子の発光状態及び／又は前記発音素子の発音状態を変化せしめる素子駆動手段とを備えている。なお、発音素子からの発音内容として、カウント回数が増加するにつれて、段階的に変化する音声であることが好ましい。例えば、カウント回数が増加するにつれ、電子マネーカードの利用者を段階的に励ます言葉が選択されたり、段階的に癒す言葉が選択されたり、段階的に親しみをこめた言葉が選択されたり等、意味を有する言葉を段階的に選択するように構成することができる。また、カウント回数の増加につれて、段階的に発光素子の発光状態が変化するようにしてもよい。これにより、さらに電子マネーカードに対する利用者の興味を惹き起こし、繰り返し利用したいという意識を引き起こすことができる。
【００４８】
また、上部本体３０に液晶パネル等の画像を表示する表示部（この明細書では発光素子の一つとして把握する）を組み込み、この表示部に表示されるキャラクタが、自動改札機（非接触式情報記録媒体処理機）へのタッチの状況に応じて行動、変身したりするようにするようにしてもよい。また、この場合において、発音素子によって該キャラクタの叫び等を発音させることによって興味を増大させることができるようになる。なお、本実施の形態の電子マネーカードケースは、他の実施の形態と適宜組み合わせることが可能である。他の実施の形態と組み合わせることにより、より興趣性の高いカードケースを提供することができる。
【符号の説明】
【００４９】
１……電子マネーカードケース、１０……カードホルダー、１１Ａ、１１Ｂ……ヒンジ、２０……下部本体、２１……電子回路基板、２２……中パーツ、２３……羽パーツ、２３Ａ……羽、２５……電池ボックス、２６……電池蓋、２７……発光ダイオード、２８Ａ、２８Ｂ……半導体装置、２９……スイッチ、３０……上部本体、３０Ａ……螺子、３１……盛り上がり部、３２……開口、３３……クリアパーツ、３４……窓、４０……受信部、４１……スイッチ、５０……ベルト、５１……ホルダー、５２……バック、５３……肩ベルト、６０、６１……人気キャラクタ、６３……札、７０……野球場、７１……スイッチ。
【図１】
0005690259.tif 000002
【図２】
0005690259.tif 000003
【図３】
0005690259.tif 000004
【図４】
0005690259.tif 000005
【図５】
0005690259.tif 000006
【図６】
0005690259.tif 000007